(57)【要約】風袋２を用いて衣服特にシャツを平滑整形するために、衣服は、特に湿った状態で風袋２に着せ掛けられ、次いで風袋２の膨張によって張設され、加熱によって乾燥される。このために風袋２は加熱空気で膨らますことができるが、この場合衣服の多くの部分は別の部分よりも比較的早く乾燥される。熱エネルギを所望の形式で個別的に、特に比較的遅く乾燥する部分に供給するために、本発明の風袋２は加熱体８，１０，１１を備えている。これらの加熱体は追加的にまたは単独で衣服２を乾燥するための熱を提供することができる。有利には加熱体８，１０，１１は風袋の材料に取り付けられている。
2004517701.tif 000002
【特許請求の範囲】
【請求項１】
シャツを平滑整形するための装置において、
該平滑整形装置が、膨張可能なシャツ形状の風袋（２）を備えており、該風袋（２）が、部分的または全体的に加熱体（８，１０，１１）を備えていることを特徴とする、シャツを平滑整形するための装置。
【請求項２】
風袋（２）が、１つの胴区分（３）と２つの袖区分（４）と１つの襟区分（５）とを備えている、請求項１記載の装置。
【請求項３】
加熱体（８）が、襟区分（５）の領域に配置されている、請求項２記載の装置。
【請求項４】
加熱体（１０）が、２つの袖区分（４）の端部におけるシャツのカフス領域に配置されている、請求項２または３記載の装置。
【請求項５】
加熱体（１１）が、胴区分（３）におけるボタンおよびボタンストリップ領域に配置されている、請求項２から４までのいずれか１項記載の装置。
【請求項６】
加熱体が、加熱糸から成っている、請求項１から５までのいずれか１項記載の装置。
【請求項７】
加熱糸が、風袋（２）の材料に織り込まれている、請求項６記載の装置。
【請求項８】
加熱糸が、風袋（２）に縫い込まれている、請求項７記載の装置。
【請求項９】
加熱糸が、風袋（２）の材料に取り付けられている、請求項６記載の装置。
【請求項１０】
加熱糸が、風袋の内面において、風袋（２）の材料に取り付けられている、請求項６記載の装置。
【請求項１１】
加熱糸が、風袋の外面において、風袋（２）の材料に取り付けられている、請求項６記載の装置。
【請求項１２】
風袋（２）の基部に、加熱体（８，１０，１１）のためのエネルギ源（９）が配置されている、請求項１から１１までのいずれか１項記載の装置。
【請求項１３】
様々な領域における加熱体が、種々異なる面積出力で加熱するようになっている、請求項１から１２までのいずれか１項記載の装置。
【請求項１４】
加熱体に温度センサが対応配置されており、加熱体の温度が調節されるようになっている、請求項１から１３までのいずれか１項記載の装置。
【請求項１５】
加熱体が、電気的な抵抗加熱器であり、該抵抗加熱器が、特にある温度範囲で正の温度係数を有している、請求項１から１４までのいずれか１項記載の装置。
【発明の詳細な説明】
【０００１】
本発明は、シャツを平滑整形するための装置、特にシャツ袖の端部もしくはカフスおよびシャツの襟およびボタンストリップを平滑整形するための装置に関する。
【０００２】
公知の形式では、シャツは、様々な箇所で固定して特に加熱空気を吹き込んで張設して平滑整形され、この場合シャツは固定箇所で追加的に互いに引き延ばすことができる。
【０００３】
シャツを平滑整形する別の形式では、膨張可能な風袋が使用され、この風袋の周りにシャツが置かれる。この場合シャツは固定する必要がない。というのもシャツは風袋によって保持されるからである。この場合カフスは、風袋の袖区分によって平滑整形される。風袋の使用に際して、平滑整形しようとするシャツの袖または襟と同様にボタンストリップを固定すること（これによってシャツをボタン止めする必要はない）が公知であり、これはたとえば米国特許第３１６５２４４号明細書によって公知である。
【０００４】
そのような風袋の使用に際して生じる問題によると、風袋の表面は流入する加熱空気によって均等に加熱されるが、平滑整形しようとするシャツの、比較的厚い材料が使用されるかまたは材料が幾重かに使用されるような個別的な箇所、たとえばカフス、襟またはボタンストリップは十分に平滑整形されない。なぜならば加熱空気が十分な程度の熱を前述の個別的な箇所に発生させることができないからである。同様に供給しようとする空気の比較的強い加熱または平滑整形しようとするシャツの比較的長い処理によって、特にシャツの残りの部分の過負荷が生じる。
【０００５】
したがって本発明の課題は、冒頭で述べたような形式の、シャツを平滑整形するための装置を改良して、カフスもしくは襟またはボタンストリップもシャツ全体も満足できる適度に平滑整形されるようなものを提供することである。
【０００６】
この課題を解決するための、本発明による、シャツを平滑整形するための装置によれば、膨張可能なシャツ形状の風袋が設けられており、該風袋が、１つの胴区分と２つの袖区分と１つの襟区分とを備えていて、かつ部分的または全体的に加熱体を備えている。
【０００７】
シャツ形状の風袋全体に加熱体を設けることによって、風袋に導入される空気の加熱の僅かな場合または加熱の行われない場合でもシャツの平滑整形が保証される、ということが達成される。このようにすると、風袋への加熱空気の導入時間を、従来の装置に比べて減少させることができる。なぜならば十分なエネルギが、加熱体を設けたことによって提供され、これによってシャツが平滑整形されるからである。
【０００８】
風袋の特定部分に加熱体を設けることによって、この特定部分においてシャツに、導入された加熱空気によって得られるエネルギに対して追加的に、加熱体を介してエネルギ供給が行われ、これによってシャツは十分に平滑整形される。有利な実施例では、加熱体は、接着されるかまたは風袋の材料に織り込まれる加熱糸から実現されている。接着された加熱糸は、風袋の外面にも内面にも取り付けることができる。
【０００９】
一般的にそれぞれ異なる面積加熱出力は、様々な加熱装置のそれぞれ異なる制御によって、かつ／またはそれぞれ異なる面積出力（単位面積当たりの出力）を有する加熱装置を設けること、たとえば大小の密度を有して取り付けられた加熱糸によって達成することができる。これによってシャツが比較的ゆっくりと乾燥される部分を所望の形式でより強く加熱することができる。これによってシャツがたとえば胸ポケットまたはアップリケまたは特定箇所の追加的な材料層を有する場合、さらにシャツの区分もしくは種類についても考慮して平滑整形することができる。
【００１０】
風袋の加熱は、あらゆる加熱装置に関して調整もしくは制御可能であり、これによって種々異なる材料について考慮することができ、たとえば絹の場合、綿の場合よりも低い温度に調節することができる。
【００１１】
有利には、温度上昇時に特に特定温度を超えると抵抗が極端に高くなるような加熱体が使用されるので、温度の自己調整が達成される。このようにして比較的迅速に乾燥する部分における熱損失を制限することができる。
【００１２】
このために加熱体は、襟区分の部分、２つの袖区分の端部におけるカフス部分および／またはボタンおよびボタンストリップ部分に設けることができる。
【００１３】
有利には加熱体のエネルギ源は、平滑整形装置のスタンド脚部としても用いられる風袋の基部に設けられている。さらに基部は、送風機と加熱装置とを備えており、これによって加熱空気を風袋に導入することができる。
【００１４】
有利な実施形態では、加熱糸の縫い込まれているかもしくは接着されている領域は通気性を有している。このようにしてシャツは襟区分の直ぐ近くで、導入された加熱空気によっても、加熱体から得られるエネルギによっても加熱し、ひいては平滑整形することができる。
【００１５】
本発明のその他の詳細、特徴および利点は、以下の実施例の説明および図面から明らかである。
【００１６】
次に図面につき本発明の実施例を詳しく説明する。
【００１７】
図１の概略的な正面図には、風袋２を備えた、シャツを、平らに延ばして形を整えるつまり平滑整形するための装置１を示した。風袋２は、完全には図示していない基部６に組み付けられている。風袋２は１つの胴区分３と２つの袖区分４と１つの襟区分５とを備えている。平滑整形装置のスタンド脚部としても用いられる基部６は、送風機と加熱装置とを備えており、これによって風袋に熱気を吹き込むことができる。追加的に襟区分５上に空気変向部７が取り付けられており、この空気変向部７は特に襟区分から上方に流出する空気を下方に変向し、固定された襟に外側から案内することができる。
【００１８】
襟区分５の領域には、加熱糸８から成る加熱体８が設けられている。加熱体８は、図１に示した実施例では、風袋２の材料に織り込まれている。基部６にはエネルギ源９が設けられており、このエネルギ源９は加熱体８に電圧を供給する。これによって、シャツが風袋２に着せ掛けられた状態では、シャツは襟区分５の直ぐ近くで、導入された加熱空気によっても、加熱体８から放出されるエネルギによっても加熱され、したがって平滑整形される。
【００１９】
これと同様の理由で、２つの袖区分４の端部におけるシャツのカフス部分には加熱糸から成る加熱体１０が設けられており、かつ／または胴区分３のボタンおよびボタンストリップ部分には加熱糸から成る加熱体１１が設けられている。これらの加熱体１０，１１は、風袋２の材料に織り込まれていて、かつエネルギ源９によって電圧を供給される。
【００２０】
図２の側面図には、加熱糸８を含んだ襟区分５を示した。空気変向部分７は、この図面には示していない。この有利な実施例では、加熱糸８は、襟区分５において、シャツの襟が風袋２に接触する領域にだけ設けられている。
【図面の簡単な説明】
【図１】
本発明による、シャツを平滑整形するための装置を示す正面図である。
【図２】
図１に示した、シャツを平滑整形するための装置の襟区分を示す平面図である。
【符号の説明】
１  平滑整形装置、  ２  風袋、  ３  胴区分、  ４  袖区分、  ５  襟区分、  ６  基部、  ７  空気変向部分、  ８  加熱体、  ９  エネルギ源、  １０  加熱体、  １１  加熱体
【国際公開パンフレット】
2004517701.tif 000003
2004517701.tif 000004
2004517701.tif 000005
2004517701.tif 000006
2004517701.tif 000007
2004517701.tif 000008
2004517701.tif 000009
2004517701.tif 000010
2004517701.tif 000011
2004517701.tif 000012
2004517701.tif 000013
【国際調査報告】
2004517701.tif 000014
2004517701.tif 000015
2004517701.tif 000016
2004517701.tif 000017